(57)【要約】【課題】一面では先行技術の欠点を回避し、この種の搬送装置の合理的稼働を可能とされる方法を創作すること。【解決手段】この発明は、ばら荷を備える少なくとも一つの貯蔵容器からの搬送装置に、充満状態センサー（１２）と需要センサー（１１）を備えている少なくとも一つの材料遮断機の充満する充満時間を検出する方法に関する。  開始時には、導管（３、６）が空で、材料遮断機（１）が空であり、ばら荷が貯蔵容器（４）から需要センサー（１１）の反応から充満センサー（１２）の反応まで搬送され、この搬送時間（ＴＲＥＦ１）が測定されて記憶される。需要センサー（１１）の新たな反応には、再び充満センサー（１２）の反応まで搬送され、この搬送時間（ＴＲＥＦ２）が材料遮断機（１）の充満のための搬送時間と一致し、測定されて記憶され、第一搬送の導管（３、６）内にばら荷が存在する。搬送時間（ＴＲＥＦ２）が搬送時間（ＴＲＥＦ１）から引かれて、吸込み時間と同じである吸出し時間（ＴＬＥＥＲ）を決定する。導管（３、６）が算出された吸出し時間（ＴＬＥＥＲ）により吸出される。需要センサー（１１）の新たな反応には、材料遮断機（１）の充満が搬送時間（ＴＲＥＦ２）により且つ吸出しが両方が加えた充満時間を意味する吸出し時間（ＴＬＥＥＲ）により実施される。
2011506227.tif 000002
【特許請求の範囲】
【請求項１】
ばら荷を備える少なくとも一つの貯蔵容器からの搬送装置に、合成樹脂粒状物加工機械用の合成樹脂粒状物を備える吸引搬送装置における充満状態センサーと需要センサーを備えている少なくとも一つの材料遮断機の充満する充満時間を検出する方法において、
開始時には、導管（３、６）が空で、材料遮断機（１）が空であり、ばら荷が貯蔵容器（４）から需要センサー（１１）の反応から充満センサー（１２）の反応まで搬送され、この搬送時間（ＴＲＥＦ１）が測定されて記憶され（部分工程２１）、
需要センサー（１１）の新たな反応の際には、再び充満センサー（１２）の反応まで搬送され、この搬送時間（ＴＲＥＦ２）が材料遮断機（１）の充満のための搬送時間と一致し、測定されて記憶され、第一搬送の導管（３、６）内にばら荷が存在し（部分工程２２）、搬送時間（ＴＲＥＦ２）が搬送時間（ＴＲＥＦ１）から引かれて、吸込み時間と同じである吸出し時間（ＴＬＥＥＲ）を決定し（部分工程２３）、
導管（３、６）が算出された吸出し時間（ＴＬＥＥＲ）により吸出され（部分工程２８）、需要センサー（１１）の新たな反応の際には、材料遮断機（１）の充満が搬送時間（ＴＲＥＦ２）により且つ吸出しが両方が加えた充満時間を意味する吸出し時間（ＴＬＥＥＲ）により実施される（部分工程３０）ことを特徴とする方法。
【請求項２】
周期的に充満稼働が実際の搬送時間をより短く、特に搬送時間（ＴＲＥＦ２）の２／３に見積もられる（部分工程２６）ことを特徴とする請求項１に記載の方法。
【請求項３】
充満センサー（１２）の反応の際に、搬送時間、特に搬送時間２／３（ＴＲＥＦ２）が確定された時間単位だけ短縮されるか、或いは非反応の際に、搬送時間が確定された時間単位だけ延長される（部分工程３２、３３）ことを特徴とする請求項１或いは２に記載の方法。
【請求項４】
吸出し中の充満センサー（１２）の反応の際に、第二吸出しが実施される（部分工程２９）ことを特徴とする請求項１乃至３のいずれか一項に記載の方法。
【請求項５】
吸出しの際に充満センサー（１２）の反応から吸出し時間（ＴＬＥＥＲ）の終了までの時間（Ｔ０）が測定されて記憶される（部分工程３５）ことを特徴とする請求項１乃至４のいずれか一項に記載の方法。
【請求項６】
実際の吸出し時間（ＴｔＬＥＥＲ）の評価が実施され、時間（Ｔ０）が吸出し時間（ＴＬＥＥＲ）から引かれる（部分工程３５）ことを特徴とする請求項１乃至５のいずれか一項に記載の方法。
【請求項７】
実際の吸出し時間（ＴｔＬＥＥＲ）の評価が複数の、特に５つの周期的充満稼働後に初めて実施される（部分工程３６）ことを特徴とする請求項１乃至６のいずれか一項に記載の方法。
【発明の詳細な説明】
【技術分野】
【０００１】
この発明は、ばら荷を備える少なくとも一つの貯蔵容器からの搬送装置、特に合成樹脂粒状物を加工する機械を備える吸引搬送装置において充満状態センサーと需要センサーを備えた少なくとも一つの材料遮断機を充満するための充満時間を検出する方法に関する。
【背景技術】
【０００２】
この種の材料遮断機がばら荷遮断機とも呼ばれ、個別装置のときに、或いは複数が設けられるときに、搬送装置に統合されて、導管を介して貯蔵容器と接続されている。ばら荷の搬送は空気流によって、特に吸引空気流により行われる。主としてすべての調整が手動で行われる。
【０００３】
そのような吸引搬送装置はそれ自体、例えばドイツ実用新案第２９８１５５３７号明細書（特許文献１）から公知であり、供給が搬送ガス或いは搬送空気により回転可能な調整スリーブを介して行われる。
【０００４】
ある別の搬送装置は欧州特許出願公開第０３８６６３７号明細書（特許文献２）から公知であり、洗剤計量配分装置が用いられる。自動的、特に迅速計量配分をそのような装置により可能とするために、制御装置により操作できる弁が供給部と計量配分容器の間に粉末を空圧搬送する圧縮空気のために設けられる。
【０００５】
さらに、ドイツ特許出願公開第１００３９５６４号明細書（特許文献３）からも、ばら荷を搬送する装置が知られている。この吸引搬送装置では、搬送すべきばら荷に搬送ガスが変更可能な量で積み足される。既に吸引搬送装置により搬送ガスの積み足しの下で搬送されたばら荷の搬送導管では、圧力測定配列によって負圧が検出でき、適切な制御信号が作成される。吸引搬送装置への搬送ガスの供給装置において、弁が取付けられ、貫流する搬送ガスの弁開放が搬送導管内の負圧の量に依存して制御配列により制御できる。
【０００６】
すべての上記に引用された公知の装置では、確かに空気からばら荷への混合量が注目されるけれども、充満時間が度外視されることが欠点である。それによって短過ぎる搬送時間で乏しい荷積みをもたらされ、長過ぎる搬送時間で導管内にばら荷の貯蔵をもたらされる。
【先行技術文献】
【特許文献】
【０００７】
【特許文献１】ドイツ実用新案第２９８１５５３７号明細書
【特許文献２】欧州特許出願公開第０３８６６３７号明細書
【特許文献３】ドイツ特許出願公開第１００３９５６４号明細書
【発明の概要】
【発明が解決しようとする課題】
【０００８】
この発明の課題は、一面では上記欠点を回避し、この種の搬送装置の合理的稼働を可能とされる前記引用された種類の方法を創作することである。
【課題を解決するための手段】
【０００９】
この課題は、この発明による方法により解決される。
【００１０】
この発明による方法は、開始時には、導管が空で、材料遮断機が空であり、ばら荷が貯蔵容器から需要センサーの反応から充満センサーの反応まで搬送され、この搬送時間（ＴＲＥＦ１）が測定されて記憶され、
需要センサーの新たな反応の際には、再び充満センサーの反応まで搬送され、この搬送時間（ＴＲＥＦ２）が材料遮断機の充満のための搬送時間と一致し、測定されて記憶され、第一搬送の導管内にばら荷が存在し、
搬送時間（ＴＲＥＦ２）が搬送時間（ＴＲＥＦ１）から引かれて、吸込み時間と同じである吸出し時間（ＴＬＥＥＲ）を決定して、
導管が算出された吸出し時間（ＴＬＥＥＲ）により吸出されて、
需要センサーの新たな反応の際には、材料遮断機の充満が搬送時間（ＴＲＥＦ２）により且つ吸出しが両方が加えた充満時間を意味する吸出し時間（ＴＬＥＥＲ）により実施されることを特徴とする。
【００１１】
この発明により、最初に、特に装置の新たなスタートの際に、或いはばら荷の交換後に材料遮断機からばら荷を備える貯蔵容器からの搬送装置に、特に合成樹脂粒状物加工機械用の合成樹脂を備える吸引搬送装置に満たす充満時間を自動的に検出することが可能である。
【００１２】
この発明による永続的且つ出力情報付与された搬送吸込み時間制御によると、充満時間が装置パラメータで完全自動的に調整される。一般的に知られるように、この装置パラメータが周知のように流され、決して一定ではない。発明による完全自動調整によってこの偏差が検出されて補償される。
【００１３】
この発明による方法なしに、値が不利に実際に中断されずに調整されなければならない。この発明による方法でも、手動調整がもはや行われなく、長く用いられる協力者に経験を必要とされることが好ましい。さらに、吸出しによって材料が導管内に滞在しなく、全装置の閉塞や稼働中断を生じ得ることが利点である。この種の閉塞は材料のもどし湿しの際に比較的迅速に生じ得る。
【００１４】
この発明の再現態様によると、周期的充満稼働がより短い、特に搬送時間（ＴＲＥＦ２）の２／３での今日の搬送時間に見積もられる。この発明による方法によるプロトタイプ装置の試みの際に、このように短縮された搬送時間が合理的稼働のために充分であることが示されている。
【００１５】
この発明の特別な特徴によると、充満状態センサーの反応の際に搬送時間、特に搬送時間２／３（ＴＲＥＦ２）が確定された時間単位だけ短縮されるか、或いは非反応の際に、確定された時間単位だけ延長される。それによって搬送時間の自動的安定化が最適稼働用の稼働値に保証されている利点が与えられる。
【００１６】
この発明のある構成によると、吸出し中の充満状態センサーの反応の際に第二吸出しが実施される。それによって、導管内のばら荷がより長い時間滞在しないことが保証される。ばら荷のない導管が充満過程後に確保される。
【００１７】
この発明のある別の特徴によると、吸出しの際に、充満状態センサーの反応から吸出し時間（ＴＬＥＥＲ）の終了までの時間（Ｔ０）が測定されて記憶される。それによって吸出し時間が供給されたばら荷量に依存して管長さなどのような装置特殊な機会に適合され得る。
【００１８】
この発明のある別の特別な特徴によると、実際の吸出し時間（ＴｔＬＥＥＲ）の評価が実施されて、時間（Ｔ０）が吸出し時間（ＴＬＥＥＲ）から引かれる。この実際の吸出し時間が装置の稼働中に自動的に調整され、合理的稼働が経過し得る。
【００１９】
この発明のある特別な特徴によると、実際の吸出し時間（ＴｔＬＥＥＲ）の評価が複数の、特に５つの周期的充満稼働後に初めて実施される。それによって搬送時間のために実際に既に最適値が検出されたことが保証される。それ故に、吸出し時間適合は搬送時間制御にほとんど重ねられる。
【００２０】
この発明は、図面に図示されている実施例によって詳細に説明される。
【図面の簡単な説明】
【００２１】
【図１】材料遮断機を備える装置の概略的表示を示す。
【図２】方法のフローチャートを示す。
【発明を実施するための形態】
【００２２】
図１によると、合成樹脂粒状物加工機械２用の材料遮断機１用の吸引搬送装置が概略的に図示されている。これら材料遮断機が合成樹脂粒状物を貯蔵容器４から導管３、６を介して受け取る。適切な合成樹脂粒状物を種々の貯蔵容器４からその粒状物のために設けられた材料遮断機１に供給するために、ドーム駅５が設けられている。このドーム駅には材料遮断機１に案内する導管６が貯蔵容器４から来る導管３と接続されている。貯蔵容器４が乾燥空気乾燥器７と接続されている。
【００２３】
貯蔵容器４が再び合成樹脂粒状物を収集容器１３から受け取り、貯蔵容器の充満が材料遮断機１に類似して行われ得る。
【００２４】
吸引搬送装置のために必要な吸引空気が材料遮断機１に備えられている弁を備える適切な付属品８を介して吸い込まれる。この吸引空気が中央吸引導管９を介して二段状フィルタシステム１０に浄化するために供給される。
【００２５】
材料遮断機１は、それを充満させるために、需要センサー１１と充満状態センサー１２を有する。
【００２６】
図２によると、この方法のフローチャートが示されている。この方法は、ばら荷を備える貯蔵容器４から搬送装置における材料遮断機１を充満させる充満時間を検出するのに用いられる。搬送装置は特に吸引搬送装置であり、特に合成樹脂粒状物加工機械２用の合成樹脂粒状物のために構想を練る。
【００２７】
既に図１の流れに示されるように、材料遮断機１が充満状態センサー１２と需要センサー１１とを備えられる。
【００２８】
充満時間の検出は、導管３、６が空であり、充満も終了まで他の或いは別の材料遮断機１が同じ導管３から操作されないという仮定の下で行われる。
【００２９】
開始時−部分工程２０或いは新たな開始時−上記仮定の下で、開始時に導管が空で、材料遮断機１が空である際に、ばら荷が貯蔵容器４から需要センサー１１の反応から充満状態センサー１２の反応まで搬送され、この搬送時間（ＴＲＥＦ１）−部分工程２１が測定されて記憶される。
【００３０】
需要センサー１１の新たな反応の際に、再び充満状態センサー１２の反応まで搬送され、この時間（ＴＲＥＦ２）−部分工程２２は、材料遮断機１に充満させる搬送時間に一致し、測定されて記憶される。最初の搬送によりばら荷が導管に存在することが本当に知られている。
【００３１】
この搬送時間（ＴＲＥＦ２）は−部分工程２３では−搬送時間（ＴＲＥＦ１）から引かれて、吸引時間と同じである吸出し時間（ＴＬＥＥＲ）を決定する。特に搬送時間（ＴＲＥＦ２）が搬送時間（ＴＲＥＦ１）より大きいならば、誤差２４が存在し、装置の吸出し２５が実施される。その後に新たな開始が行われる。
【００３２】
原理的に需要センサー１１の新たな反応の際に、材料遮断機１の充満が−部分工程３０−搬送時間（ＴＲＥＦ２）により実施され、吸出しが両方を加えて充満時間を意味する吸出し時間（ＴＬＥＥＲ）により実施され得る。
【００３３】
プロトタイプ稼働における経験に基づいて、場合によっては、周期的充満稼働が現実の搬送時間−部分工程２６−より短い、特に搬送時間（ＴＲＥＦ２）の２／３に延長される。吸出し時間（ＴＬＥＥＲ）が搬送時間（ＴＲＥＦ２）の２／３を除いた搬送時間（ＴＲＥＦ１）に一致する。
【００３４】
次の部分工程２７では、搬送時間が吸出し時間（ＴＬＥＥＲ）より少ないか否かが検討される。吸出し時間（ＴＬＥＥＲ）が実際に短いならば、吸出しのみが算出された吸出し時間（ＴＬＥＥＲ）−部分工程２８−により行われなければならなく、第二吸出しが−部分工程２９−により実施される。充満状態センサー１２が吸出し中に反応されるならば、第二吸出しが実施される。
【００３５】
需要センサー１１の新たな反応の際に、材料遮断機１の充満が−部分工程３０では−短縮された搬送時間（ＴＲＥＦ２）により実施され、吸出しは両方を加えて充満時間を意味する吸出し時間（ＴＬＥＥＲ）により実施される。
【００３６】
部分工程３１では、充満状態センサー１２が反応するか否かが検討される。充満状態センサー１２の反応の場合には、搬送時間、特に搬送時間２／３（ＴＲＥＦ２）が確定された時間単位だけ−部分工程３２−短縮されるか或いは非反応の場合には、搬送時間が確定された時間単位だけ−部分工程３２−延長される。
【００３７】
次の部分工程３４では、負圧が圧力スイッチによって検討される。圧力スイッチの反応の際に、つまり高い負圧の際に、閉塞が受けられる。装置が浄化されなけけばならなく、新たな開始を生じる。
【００３８】
吸出しの際に、充満状態センサー１２の反応から吸出し時間（ＴＬＥＥＲ）の終了までの時間（Ｔ０）が測定されて記憶される。さらに、実際の吸出し時間（ＴｔＬＥＥＲ）の評価が実施され、時間（Ｔ０）が吸出し時間（ＴＬＥＥＲ）から−部分工程３５−引かれる。
【００３９】
実際の吸出し時間（ＴｔＬＥＥＲ）の評価は、複数の、特に５つの周期的充満稼働後に初めて−部分工程３６−実施される。
【００４０】
部分工程３７では、材料遮断機１の充満が最適搬送時間と最適吸出し時間とにより稼働される。
【００４１】
この永続的且つ出力情報付与された搬送吸出し時間制御によって充満用時間が装置パラメータで完全自動的に調整される。それによって連続的稼働が保証されて、およそ人間的不十分さが排除される。
【符号の説明】
【００４２】
１．．．．．材料遮断機
２．．．．．粒状物加工機械
３．．．．．導管
４．．．．．貯蔵容器４
５．．．．．ドーム駅
６．．．．．導管
７．．．．．乾燥空気乾燥器
８．．．．．付属品
９．．．．．中央吸引導管
１０．．．．．二段状フィルタシステム
１１．．．．．需要センサー
１２．．．．．充満状態センサー
【図１】
2011506227.tif 000003
【図２】
2011506227.tif 000004
【国際調査報告】
2011506227.tif 000005
2011506227.tif 000006
2011506227.tif 000007
2011506227.tif 000008